(57)【特許請求の範囲】
【請求項１】
窓が形成されたベースと、
前記ベース上に設けられ前記窓上で絞り用開口の大きさを調整する第１、第２絞り羽根と、
前記第１、第２絞り羽根を移動させる第１、第２カムピンと、
前記ベースから突設された複数のガイドピンとを備え、
前記第１絞り羽根は、前記第１カムピンが係合する第１カム溝と、直線状に延在し前記複数のガイドピンのうちの１本が係合される第１ガイド溝と、前記第１絞り羽根の移動方向において、前記第１カム溝と第１開口形成縁部との間の領域である第１遮光部と、前記第１遮光板部の端部に設けられ前記第１絞り羽根と前記第２絞り羽根とが開放状態にあるときに前記絞り用開口の互いに対向する縁部の一方を縁取る前記第１開口形成用縁部と、前記第１ガイド溝と同一の方向または平行する方向に直線状に延在し前記複数のガイドピンのうちの１本が係合される第２ガイド溝と、がこれら順番で前記移動方向に沿って重複することなく並べられて形成され、
前記第２絞り羽根は、前記第２カムピンが係合する第２カム溝と、直線状に延在し前記複数のガイドピンのうちの１本が係合される第３ガイド溝と、前記第１絞り羽根と前記第２絞り羽根とが開放状態にあるときに前記絞り用開口の互いに対向する縁部の他方を縁取り前記第１開口形成用縁部に対向して配置される第２開口形成用縁部と、前記第２絞り羽根の移動方向において、前記第２開口形成縁部と第４ガイド溝との間の領域である第２遮光部と、前記第３ガイド溝と同一の方向または平行する方向に直線状に延在し前記複数のガイドピンのうちの１本が係合される前記第４ガイド溝と、がこれら順番で前記移動方向に沿って重複することなく並べられて形成され、
前記第２ガイド溝は、前記第１ガイド溝よりも前記第１カム溝から離れた箇所に位置し、
前記第４ガイド溝は、前記第３ガイド溝よりも前記第２カム溝から離れた箇所に位置し、
前記第２ガイド溝と前記第４ガイド溝とは重なり、それら第２ガイド溝と第４ガイド溝とに単一のガイドピンが挿入され、
前記ベースに対向して配置され前記ベースに取着される押さえ板をさらに備え、
前記第１、第２絞り羽根は前記ベースと押さえ板との間に配置され、
前記ベースが前記第１絞り羽根に対向する箇所と、前記押さえ板が前記第１絞り羽根に対向する箇所とに、前記第１絞り羽根に係合し該第１絞り羽根の厚さ方向の位置決めを行う複数の突条が前記移動方向に延在形成され、
前記第１カム溝に近い前記第１絞り羽根の箇所に係合する前記突条の数は、前記第１カム溝から離れた前記第1絞り羽根の箇所に係合する前記突条の数よりも多く、
前記ベースが前記第２絞り羽根に対向する箇所と、前記押さえ板が前記第２絞り羽根に対向する箇所とに、前記第２絞り羽根に係合し該第２絞り羽根の厚さ方向の位置決めを行う複数の突条が前記移動方向に延在形成され、
前記第２カム溝に近い前記第２絞り羽根の箇所に係合する前記突条の数は、前記第２カム溝から離れた前記第２絞り羽根の箇所に係合する前記突条の数よりも多い
光量調整装置。
【請求項２】
窓が形成されたベースと、
前記ベース上に設けられ前記窓上で絞り用開口の大きさを調整する第１、第２絞り羽根と、
前記第１、第２絞り羽根を移動させる第１、第２カムピンと、
前記ベースから突設された複数のガイドピンとを有する光量調整装置を備え、
前記第１絞り羽根は、前記第１カムピンが係合する第１カム溝と、直線状に延在し前記複数のガイドピンのうちの１本が係合される第１ガイド溝と、前記第１絞り羽根の移動方向において、前記第１カム溝と第１開口形成縁部との間の領域である第１遮光部と、前記第１遮光板部の端部に設けられ前記第１絞り羽根と前記第２絞り羽根とが開放状態にあるときに前記絞り用開口の互いに対向する縁部の一方を縁取る前記第１開口形成用縁部と、前記第１ガイド溝と同一の方向または平行する方向に直線状に延在し前記複数のガイドピンのうちの１本が係合される第２ガイド溝と、がこれら順番で前記移動方向に沿って重複することなく並べられて形成され、
前記第２絞り羽根は、前記第２カムピンが係合する第２カム溝と、直線状に延在し前記複数のガイドピンのうちの１本が係合される第３ガイド溝と、前記第１絞り羽根と前記第２絞り羽根とが開放状態にあるときに前記絞り用開口の互いに対向する縁部の他方を縁取り前記第１開口形成用縁部に対向して配置される第２開口形成用縁部と、前記第２絞り羽根の移動方向において、前記第２開口形成縁部と第４ガイド溝との間の領域である第２遮光部と、前記第３ガイド溝と同一の方向または平行する方向に直線状に延在し前記複数のガイドピンのうちの１本が係合される前記第４ガイド溝と、がこれら順番で前記移動方向に沿って重複することなく並べられて形成され、
前記第２ガイド溝は、前記第１ガイド溝よりも前記第１カム溝から離れた箇所に位置し、
前記第４ガイド溝は、前記第３ガイド溝よりも前記第２カム溝から離れた箇所に位置し、
前記第２ガイド溝と前記第４ガイド溝とは重なり、それら第２ガイド溝と第４ガイド溝とに単一のガイドピンが挿入され、
前記ベースに対向して配置され前記ベースに取着される押さえ板をさらに備え、
前記第１、第２絞り羽根は前記ベースと押さえ板との間に配置され、
前記ベースが前記第１絞り羽根に対向する箇所と、前記押さえ板が前記第１絞り羽根に対向する箇所とに、前記第１絞り羽根に係合し該第１絞り羽根の厚さ方向の位置決めを行う複数の突条が前記移動方向に延在形成され、
前記第１カム溝に近い前記第１絞り羽根の箇所に係合する前記突条の数は、前記第１カム溝から離れた前記第1絞り羽根の箇所に係合する前記突条の数よりも多く、
前記ベースが前記第２絞り羽根に対向する箇所と、前記押さえ板が前記第２絞り羽根に対向する箇所とに、前記第２絞り羽根に係合し該第２絞り羽根の厚さ方向の位置決めを行う複数の突条が前記移動方向に延在形成され、
前記第２カム溝に近い前記第２絞り羽根の箇所に係合する前記突条の数は、前記第２カム溝から離れた前記第２絞り羽根の箇所に係合する前記突条の数よりも多い
レンズ鏡筒。
【請求項３】
窓が形成されたベースと、
前記ベース上に設けられ前記窓上で絞り用開口の大きさを調整する第１、第２絞り羽根と、
前記第１、第２絞り羽根を移動させる第１、第２カムピンと、
前記ベースから突設された複数のガイドピンとを有する光量調整装置を備え、
前記第１絞り羽根は、前記第１カムピンが係合する第１カム溝と、直線状に延在し前記複数のガイドピンのうちの１本が係合される第１ガイド溝と、前記第１絞り羽根の移動方向において、前記第１カム溝と第１開口形成縁部との間の領域である第１遮光部と、前記第１遮光板部の端部に設けられ前記第１絞り羽根と前記第２絞り羽根とが開放状態にあるときに前記絞り用開口の互いに対向する縁部の一方を縁取る前記第１開口形成用縁部と、前記第１ガイド溝と同一の方向または平行する方向に直線状に延在し前記複数のガイドピンのうちの１本が係合される第２ガイド溝と、がこれら順番で前記移動方向に沿って重複することなく並べられて形成され、
前記第２絞り羽根は、前記第２カムピンが係合する第２カム溝と、直線状に延在し前記複数のガイドピンのうちの１本が係合される第３ガイド溝と、前記第１絞り羽根と前記第２絞り羽根とが開放状態にあるときに前記絞り用開口の互いに対向する縁部の他方を縁取り前記第１開口形成用縁部に対向して配置される第２開口形成用縁部と、前記第２絞り羽根の移動方向において、前記第２開口形成縁部と第４ガイド溝との間の領域である第２遮光部と、前記第３ガイド溝と同一の方向または平行する方向に直線状に延在し前記複数のガイドピンのうちの１本が係合される前記第４ガイド溝と、がこれら順番で前記移動方向に沿って重複することなく並べられて形成され、
前記第２ガイド溝は、前記第１ガイド溝よりも前記第１カム溝から離れた箇所に位置し、
前記第４ガイド溝は、前記第３ガイド溝よりも前記第２カム溝から離れた箇所に位置し、
前記第２ガイド溝と前記第４ガイド溝とは重なり、それら第２ガイド溝と第４ガイド溝とに単一のガイドピンが挿入され、
前記ベースに対向して配置され前記ベースに取着される押さえ板をさらに備え、
前記第１、第２絞り羽根は前記ベースと押さえ板との間に配置され、
前記ベースが前記第１絞り羽根に対向する箇所と、前記押さえ板が前記第１絞り羽根に対向する箇所とに、前記第１絞り羽根に係合し該第１絞り羽根の厚さ方向の位置決めを行う複数の突条が前記移動方向に延在形成され、
前記第１カム溝に近い前記第１絞り羽根の箇所に係合する前記突条の数は、前記第１カム溝から離れた前記第1絞り羽根の箇所に係合する前記突条の数よりも多く、
前記ベースが前記第２絞り羽根に対向する箇所と、前記押さえ板が前記第２絞り羽根に対向する箇所とに、前記第２絞り羽根に係合し該第２絞り羽根の厚さ方向の位置決めを行う複数の突条が前記移動方向に延在形成され、
前記第２カム溝に近い前記第２絞り羽根の箇所に係合する前記突条の数は、前記第２カム溝から離れた前記第２絞り羽根の箇所に係合する前記突条の数よりも多い
撮像装置。
【発明の詳細な説明】
【技術分野】
【０００１】
本発明は光量調整装置、レンズ鏡筒および撮像装置に関する。
【背景技術】
【０００２】
多くの場合、ビデオカメラやデジタルスチルカメラ等の撮像装置のレンズ鏡筒には、該レンズ鏡筒に組み込まれた撮像光学系の光軸を中心とする絞り用開口の大きさを調整する光量調整装置（絞り装置）が設けられている。
このような光量調整装置として、一対の絞り羽根をアクチュエータで駆動するものが提供されている（特許文献１参照）。
この光量調整装置では、各絞り羽根に、カム溝と、２つのガイド溝と、開口形成用縁部と、遮光部とが設けられている。
各絞り羽根は、ガイドピンが２つのガイド溝に係合することで直進移動可能に支持され、各絞り羽根のカム溝に係合したカムピンがアクチュエータで揺動されることで、互いに逆向きに移動して各絞り羽根の開口形成用縁部の間隔を変えて絞り用開口の大きさを調整している。
【特許文献１】特開２００４−１０９５３１
【発明の開示】
【発明が解決しようとする課題】
【０００３】
しかしながら、上述した従来装置では、各絞り羽根の移動方向と直交する方向において、カム溝と、２つのガイド溝のうちの一方のガイド溝が重複して配置されている。
したがって、絞り羽根は、その移動方向と直交する方向の寸法を縮小することが困難であり、光量調整装置、レンズ鏡筒および撮像装置の小型化を図る上で不利があった。
本発明はこのような事情に鑑みなされたものであり、その目的は小型化を図る上で有利な光量調整装置、レンズ鏡筒および撮像装置を提供することにある。
【課題を解決するための手段】
【０００４】
上述の目的を達成するため、本発明の光量調整装置は、窓が形成されたベースと、前記ベース上に設けられ前記窓上で絞り用開口の大きさを調整する第１、第２絞り羽根と、前記第１、第２絞り羽根を移動させる第１、第２カムピンと、前記ベースから突設された複数のガイドピンとを備え、前記第１絞り羽根は、前記第１カムピンが係合する第１カム溝と、直線状に延在し前記複数のガイドピンのうちの１本が係合される第１ガイド溝と、前記第１絞り羽根の移動方向において、前記第１カム溝と第１開口形成縁部との間の領域である第１遮光部と、前記第１遮光板部の端部に設けられ前記第１絞り羽根と前記第２絞り羽根とが開放状態にあるときに前記絞り用開口の互いに対向する縁部の一方を縁取る前記第１開口形成用縁部と、前記第１ガイド溝と同一の方向または平行する方向に直線状に延在し前記複数のガイドピンのうちの１本が係合される第２ガイド溝と、がこれら順番で前記移動方向に沿って重複することなく並べられて形成され、前記第２絞り羽根は、前記第２カムピンが係合する第２カム溝と、直線状に延在し前記複数のガイドピンのうちの１本が係合される第３ガイド溝と、前記第１絞り羽根と前記第２絞り羽根とが開放状態にあるときに前記絞り用開口の互いに対向する縁部の他方を縁取り前記第１開口形成用縁部に対向して配置される第２開口形成用縁部と、前記第２絞り羽根の移動方向において、前記第２開口形成縁部と第４ガイド溝との間の領域である第２遮光部と、前記第３ガイド溝と同一の方向または平行する方向に直線状に延在し前記複数のガイドピンのうちの１本が係合される前記第４ガイド溝と、がこれら順番で前記移動方向に沿って重複することなく並べられて形成され、前記第２ガイド溝は、前記第１ガイド溝よりも前記第１カム溝から離れた箇所に位置し、前記第４ガイド溝は、前記第３ガイド溝よりも前記第２カム溝から離れた箇所に位置し、前記第２ガイド溝と前記第４ガイド溝とは重なり、それら第２ガイド溝と第４ガイド溝とに単一のガイドピンが挿入され、前記ベースに対向して配置され前記ベースに取着される押さえ板をさらに備え、前記第１、第２絞り羽根は前記ベースと押さえ板との間に配置され、前記ベースが前記第１絞り羽根に対向する箇所と、前記押さえ板が前記第１絞り羽根に対向する箇所とに、前記第１絞り羽根に係合し該第１絞り羽根の厚さ方向の位置決めを行う複数の突条が前記移動方向に延在形成され、前記第１カム溝に近い前記第１絞り羽根の箇所に係合する前記突条の数は、前記第１カム溝から離れた前記第1絞り羽根の箇所に係合する前記突条の数よりも多く、前記ベースが前記第２絞り羽根に対向する箇所と、前記押さえ板が前記第２絞り羽根に対向する箇所とに、前記第２絞り羽根に係合し該第２絞り羽根の厚さ方向の位置決めを行う複数の突条が前記移動方向に延在形成され、前記第２カム溝に近い前記第２絞り羽根の箇所に係合する前記突条の数は、前記第２カム溝から離れた前記第２絞り羽根の箇所に係合する前記突条の数よりも多い。
また本発明のレンズ鏡筒は、窓が形成されたベースと、前記ベース上に設けられ前記窓上で絞り用開口の大きさを調整する第１、第２絞り羽根と、前記第１、第２絞り羽根を移動させる第１、第２カムピンと、前記ベースから突設された複数のガイドピンとを有する光量調整装置を備え、前記第１絞り羽根は、前記第１カムピンが係合する第１カム溝と、直線状に延在し前記複数のガイドピンのうちの１本が係合される第１ガイド溝と、前記第１絞り羽根の移動方向において、前記第１カム溝と第１開口形成縁部との間の領域である第１遮光部と、前記第１遮光板部の端部に設けられ前記第１絞り羽根と前記第２絞り羽根とが開放状態にあるときに前記絞り用開口の互いに対向する縁部の一方を縁取る前記第１開口形成用縁部と、前記第１ガイド溝と同一の方向または平行する方向に直線状に延在し前記複数のガイドピンのうちの１本が係合される第２ガイド溝と、がこれら順番で前記移動方向に沿って重複することなく並べられて形成され、前記第２絞り羽根は、前記第２カムピンが係合する第２カム溝と、直線状に延在し前記複数のガイドピンのうちの１本が係合される第３ガイド溝と、前記第１絞り羽根と前記第２絞り羽根とが開放状態にあるときに前記絞り用開口の互いに対向する縁部の他方を縁取り前記第１開口形成用縁部に対向して配置される第２開口形成用縁部と、前記第２絞り羽根の移動方向において、前記第２開口形成縁部と第４ガイド溝との間の領域である第２遮光部と、前記第３ガイド溝と同一の方向または平行する方向に直線状に延在し前記複数のガイドピンのうちの１本が係合される前記第４ガイド溝と、がこれら順番で前記移動方向に沿って重複することなく並べられて形成され、前記第２ガイド溝は、前記第１ガイド溝よりも前記第１カム溝から離れた箇所に位置し、前記第４ガイド溝は、前記第３ガイド溝よりも前記第２カム溝から離れた箇所に位置し、前記第２ガイド溝と前記第４ガイド溝とは重なり、それら第２ガイド溝と第４ガイド溝とに単一のガイドピンが挿入され、前記ベースに対向して配置され前記ベースに取着される押さえ板をさらに備え、前記第１、第２絞り羽根は前記ベースと押さえ板との間に配置され、前記ベースが前記第１絞り羽根に対向する箇所と、前記押さえ板が前記第１絞り羽根に対向する箇所とに、前記第１絞り羽根に係合し該第１絞り羽根の厚さ方向の位置決めを行う複数の突条が前記移動方向に延在形成され、前記第１カム溝に近い前記第１絞り羽根の箇所に係合する前記突条の数は、前記第１カム溝から離れた前記第1絞り羽根の箇所に係合する前記突条の数よりも多く、前記ベースが前記第２絞り羽根に対向する箇所と、前記押さえ板が前記第２絞り羽根に対向する箇所とに、前記第２絞り羽根に係合し該第２絞り羽根の厚さ方向の位置決めを行う複数の突条が前記移動方向に延在形成され、前記第２カム溝に近い前記第２絞り羽根の箇所に係合する前記突条の数は、前記第２カム溝から離れた前記第２絞り羽根の箇所に係合する前記突条の数よりも多い。
また本発明の撮像装置は、窓が形成されたベースと、前記ベース上に設けられ前記窓上で絞り用開口の大きさを調整する第１、第２絞り羽根と、前記第１、第２絞り羽根を移動させる第１、第２カムピンと、前記ベースから突設された複数のガイドピンとを有する光量調整装置を備え、前記第１絞り羽根は、前記第１カムピンが係合する第１カム溝と、直線状に延在し前記複数のガイドピンのうちの１本が係合される第１ガイド溝と、前記第１絞り羽根の移動方向において、前記第１カム溝と第１開口形成縁部との間の領域である第１遮光部と、前記第１遮光板部の端部に設けられ前記第１絞り羽根と前記第２絞り羽根とが開放状態にあるときに前記絞り用開口の互いに対向する縁部の一方を縁取る前記第１開口形成用縁部と、前記第１ガイド溝と同一の方向または平行する方向に直線状に延在し前記複数のガイドピンのうちの１本が係合される第２ガイド溝と、がこれら順番で前記移動方向に沿って重複することなく並べられて形成され、前記第２絞り羽根は、前記第２カムピンが係合する第２カム溝と、直線状に延在し前記複数のガイドピンのうちの１本が係合される第３ガイド溝と、前記第１絞り羽根と前記第２絞り羽根とが開放状態にあるときに前記絞り用開口の互いに対向する縁部の他方を縁取り前記第１開口形成用縁部に対向して配置される第２開口形成用縁部と、前記第２絞り羽根の移動方向において、前記第２開口形成縁部と第４ガイド溝との間の領域である第２遮光部と、前記第３ガイド溝と同一の方向または平行する方向に直線状に延在し前記複数のガイドピンのうちの１本が係合される前記第４ガイド溝と、がこれら順番で前記移動方向に沿って重複することなく並べられて形成され、前記第２ガイド溝は、前記第１ガイド溝よりも前記第１カム溝から離れた箇所に位置し、前記第４ガイド溝は、前記第３ガイド溝よりも前記第２カム溝から離れた箇所に位置し、前記第２ガイド溝と前記第４ガイド溝とは重なり、それら第２ガイド溝と第４ガイド溝とに単一のガイドピンが挿入され、前記ベースに対向して配置され前記ベースに取着される押さえ板をさらに備え、前記第１、第２絞り羽根は前記ベースと押さえ板との間に配置され、前記ベースが前記第１絞り羽根に対向する箇所と、前記押さえ板が前記第１絞り羽根に対向する箇所とに、前記第１絞り羽根に係合し該第１絞り羽根の厚さ方向の位置決めを行う複数の突条が前記移動方向に延在形成され、前記第１カム溝に近い前記第１絞り羽根の箇所に係合する前記突条の数は、前記第１カム溝から離れた前記第1絞り羽根の箇所に係合する前記突条の数よりも多く、前記ベースが前記第２絞り羽根に対向する箇所と、前記押さえ板が前記第２絞り羽根に対向する箇所とに、前記第２絞り羽根に係合し該第２絞り羽根の厚さ方向の位置決めを行う複数の突条が前記移動方向に延在形成され、前記第２カム溝に近い前記第２絞り羽根の箇所に係合する前記突条の数は、前記第２カム溝から離れた前記第２絞り羽根の箇所に係合する前記突条の数よりも多い。
【発明の効果】
【０００５】
本発明によれば、第１絞り羽根は、第１カム溝、第１ガイド溝、第１遮光板部、第１開口形成用縁部、第２ガイド溝がこれら順番で移動方向に沿って並べられて形成され、第２絞り羽根は、第２カム溝、第３ガイド溝、第２開口形成用縁部、第２遮光板部、第４ガイド溝がこれら順番で移動方向に沿って重複することなく並べられて形成されている。
したがって、第１、第２絞り羽根が、それら絞り羽根の移動方向と直交する方向に占有するスペースを縮小することができ小型化を図る上で有利となる。
【発明を実施するための最良の形態】
【０００６】
（撮像装置１０）
次に、本発明の実施の形態について図面を参照して説明する。
図１は本実施の形態の撮像装置１０の斜視図、図２は撮像装置１０を後方から見た斜視図である。
図１、図２に示すように、撮像装置１０はデジタルスチルカメラである。
撮像装置１０は、外装を構成する矩形板状のケース１２を有している。
なお、本明細書において、前方とは被写体側をいい、後方とはその反対側をいい、左右は撮像装置１０を前方から見た状態でいうものとする。
ケース１２の右側部には、図中二点鎖線で示すように、レンズ鏡筒１４が組み込まれている。
レンズ鏡筒１４には、被写体像を撮像素子１６（図４）に導く撮像光学系１８などが設けられている。
撮像光学系１８のうち最も前方に位置する対物レンズ１８０２は、ケース１２の前面に設けられたレンズ窓を介してケース１２前方に臨んで配置されている。
【０００７】
ケース１２の前面右寄りの箇所には、撮影補助光を出射するフラッシュ２０Ａ、セルフタイマーランプ２０Ｂなどが設けられている。
ケース１２の前面にはカバー２２が上下にスライド可能に設けられ、このカバー２２は、図１に示すように対物レンズ１８０２、フラッシュ２０Ａ、セルフタイマーランプ２０Ｂを前方に露出させる下限位置と、これら対物レンズ１８０２、フラッシュ２０Ａ、セルフタイマーランプ２０Ｂを覆う上限位置とにスライドされる。
ケース１２の上面の左寄り箇所には、シャッタボタン２０Ｃ、電源ボタン２０Ｄなどが設けられている。
ケース１２の後面には静止画および動画などの画像や文字や記号などが表示されるディスプレイ２４（液晶表示器）、撮像光学系１８のズーミング動作を行なわせるためのズームスイッチ２０Ｅ、各種操作を行なうための十字スイッチ２０Ｆおよび複数の操作ボタン２０Ｇが設けられている。
ケース１２の左側面には、撮像装置１０を静止画撮影モード、動画撮影モード、再生・編集モードなどに切り替えるためのモードスイッチ２０Ｈが設けられている。
そしてこれらスイッチ２０Ａ乃至２０Ｈによって操作部２０（図５）が構成されている。
【０００８】
（レンズ鏡筒１４）
図３はレンズ鏡筒１４の斜視図、図４は図３のＸＸ線断面図である。
図３、図４に示すように、レンズ鏡筒１４は、鏡筒３６と、撮像素子１６と、撮像光学系１８と、本発明に係る光量調整装置３８などを含んで構成されている。
撮像素子１６は、撮像光学系１８によって結像された被写体像を撮像するＣＣＤやＣＭＯＳセンサなどで構成されている。
撮像光学系１８は、対物レンズ１８０２、プリズム１８０４と、ズーム用可動レンズ群１８０６と、フォーカス用可動レンズ群１８０８と、第１の固定レンズ群１８１０と、第２の固定レンズ群１８１２と、第３の固定レンズ群１８１４とを含んで構成されている。
さらに、レンズ鏡筒１４には、ズーム用駆動手段２６０２Ａ（図５）、フォーカス用駆動手段２６０２Ｂ（図５）が設けられている。
【０００９】
（鏡筒３６）
鏡筒３６は、全体として幅および長さ並びに厚さを有する平板形状を呈しており、撮像素子１６と撮像光学系１８とは鏡筒３６の幅方向の中央部で鏡筒３６の長さ方向に沿って並べられて配置されている。
鏡筒３６は、長さ方向において分割された第１鏡筒分割体３６Ａおよび第２鏡筒分割体３６Ｂと、これら２つの鏡筒分割体３６Ａ、３６Ｂの間に挟まれる第３鏡筒分割体３６Ｃとで構成されている。
【００１０】
（第１鏡筒分割体３６Ａ）
第１鏡筒分割体３６Ａの内部には、下方に開放状の上部部品収容空間３６０２が設けられており、対物レンズ１８０２は第１鏡筒分割体３６Ａの前面の上部でかつ幅方向の中央部に取着されている。
プリズム１８０４は、対物レンズ１８０２で捉えた像を下部に向けて（撮像素子１６側に）反射させるもので本実施の形態ではプリズムが用いられている。プリズム１８０４は、上部部品収容空間３６０２で対物レンズ１８０２に臨む箇所に配置されている。
第１の固定レンズ群１８１０とズーム用可動レンズ群１８０６とは、上部部品収容空間３６０２内でプリズム１８０４の下方にこの順番で配置されている。
【００１１】
（ズーム用可動レンズ群１８０６）
ズーム用可動レンズ群１８０６は、ズーム用レンズ枠１８０６Ａに支持されている。
ズーム用可動レンズ群１８０６は、ズーム用レンズ枠１８０６Ａを介して不図示の案内機構により撮像光学系１８の光軸方向に移動可能に支持されると共に、ズーム用駆動手段２６０２Ａ（図５）により撮像光学系１８の光軸方向に移動されるように構成されている。
前記案内機構は、ズーム用レンズ枠１８０６Ａに設けられた軸受け孔と、該軸受け孔に挿通されるガイド軸などを含んで構成され、このような案内機構として従来公知のさまざまな案内機構が採用可能である。
ズーム用駆動手段２６０２Ａは、ズーム用レンズ枠１８０６Ａに連結された雌ねじ部材と、該雌ねじ部材に螺合された雄ねじ部材と、該雄ねじ部材を回転駆動するモータなどを含んで構成され、このような駆動手段２６０２Ａとして従来公知のさまざまな駆動機構が採用可能である。
【００１２】
（第３鏡筒分割体３６Ｃ）
第３鏡筒分割体３６Ｃは、上部部品収容空間３６０２内に臨む内部分と、上部部品収容空間３６０２外に位置する外部分とを有している。
第２の固定レンズ群１８１２は、その光軸をズーム用可動レンズ群１８０６の光軸と一致させて前記内部分に取着されている。
第２固定レンズ１８１２の後方に光量調整装置３８が設けられ、したがって、光量調整装置３８は、撮像光学系１８の光軸上において撮像素子１６の前方に位置している。
【００１３】
（第２鏡筒分割体３６Ｂ）
第２鏡筒分割体３６Ｂの内部には、上下に開放された下部部品収容空間３６０４が形成されており、第２鏡筒分割体３６Ｂの下部に撮像素子１６がホルダ１６０２を介して取着されることでこの下部部品収容空間３６０４の下端は閉塞されている。
フォーカス用可動レンズ群１８０８と第３の固定レンズ群１８１４は、下部部品収容空間３６０４内で第２鏡筒分割体３６Ｂの幅方向中央に位置する箇所に配置されている。
【００１４】
（フォーカス用可動レンズ群１８０８）
フォーカス用可動レンズ群１８０８は、フォーカス用レンズ枠１８０８Ａに支持されている。
フォーカス用可動レンズ群１８０８は、フォーカス用レンズ枠１８０８Ａを介して不図示の案内機構により撮像光学系１８の光軸方向に移動可能に支持されると共に、フォーカス用駆動手段２６０２Ｂ（図５）により撮像光学系１８の光軸方向に移動されるように構成されている。
前記案内機構は、フォーカス用レンズ枠１８０８Ａに設けられた軸受け孔と、該軸受け孔に挿通されるガイド軸などを含んで構成され、このような案内機構として従来公知のさまざまな案内機構が採用可能である。
フォーカス用駆動手段２６０２Ｂは、フォーカス用レンズ枠１８０８Ａに連結された雌ねじ部材と、該雌ねじ部材に螺合された雄ねじ部材と、該雄ねじ部材を回転駆動するモータなどを含んで構成され、このような駆動手段２６０２Ｂとして従来公知のさまざまな駆動機構が採用可能である。
【００１５】
（第３の固定レンズ群１８１４）
第３の固定レンズ群１８１４は、フォーカス用可動レンズ群１８０８の下方の下部部品収容空間３６０４箇所に配置されている。
【００１６】
（制御系）
図５は撮像装置１０の構成を示すブロック図である。
撮像装置１０は、上述したレンズ鏡筒１４、ディスプレイ２４に加えて、駆動部２６、信号処理部２８、制御部３０、操作部２０、外部インターフェース３２、媒体インターフェース３４などを備えている。
駆動部２６は、前述したズーム用駆動手段２６０２Ａと、フォーカス用駆動手段２６０２Ｂと、ドライバ２６０４と、検出手段２６０６と、ドライバ２６０８と、タイミング生成回路２６１０と、Ａ／Ｄコンバータ２６１２と、ドライバ２６１４などを有している。
ドライバ２６０４は、ズーム用駆動手段２６０２Ａと、フォーカス用駆動手段２６０２Ｂに駆動信号を供給するものである。
検出手段２６０６は、ズーム用駆動手段２６０２Ａ、フォーカス用駆動手段２６０２Ｂによる可動レンズ群１８０６、１８０８の移動量などを検出するものである。
ドライバ２６０８は、撮像素子１６に駆動信号を供給するものである。
タイミング生成回路２６１０は、撮像素子１６およびドライバ２６０８にタイミング信号を供給するものである。
Ａ／Ｄコンバータ２６１２は、撮像素子１６で生成された撮像信号をＡ／Ｄ変換するものである。
ドライバ２６１４は、光量調整装置３８に駆動信号を供給するものである。
【００１７】
信号処理部２８は、Ａ／Ｄコンバータ２６１２から供給される撮像信号に対して所定の信号処理を行い画像データを生成したり、撮影にまつわる様々な動作（自動焦点動作、自動露出動作、自動ホワイトバランス動作、画像データの圧縮、解凍など）を行なうものであり、例えばＤＳＰによって構成されている。
また、信号処理部２８は、ＳＤＲＡＭコントローラ２８０２を介してメモリ（ＳＤＲＡＭ）２９を画像データの処理を行うための作業エリアとして使用する。
【００１８】
制御部３０は、ＣＰＵ３００２、ＲＡＭ３００４、フラッシュＲＯＭ３００６、時計回路３００８、およびそれらを接続するシステムバス３０１０などを含んでいる。
ＣＰＵ３００２はフラッシュＲＯＭ３００６に格納されている制御プログラムに基づいて動作するものである。
ＣＰＵ３００２は、システムバス３０１０を介してＲＡＭ３００４、フラッシュＲＯＭ３００６、時計回路３００８とデータを授受し、また、操作部３２から供給される操作指令、検出手段２６０６から供給される検出信号などに応じて動作し、また、駆動部２６のドライバ２６０４、２６１４、タイミング生成回路２６１０、Ａ／Ｄコンバータ２６１２を制御するものである。
また、ＣＰＵ３００２は、媒体インターフェース３４を介して内蔵メモリやメモリカードなどの記録媒体３５との間で画像データを含むデータの授受を行うものである。
また、ＣＰＵ３００２は、ＬＣＤコントローラ２４０２を介して画像データなどをディスプレイ２４に表示させるものである。
また、ＣＰＵ３００２は、外部インターフェース３２を介して外部装置（パーソナルコンピュータやプリンタ）との間で画像データを含むデータの授受を行うものである。
【００１９】
（光量調整装置３８）
次に、本発明の要旨である光量調整装置３８について詳細に説明する。
図６は上方から見た光量調整装置３８の分解斜視図、図７は下方から見た光量調整装置３８の分解斜視図である。
図８はベース３９を下方から見た図、図９は押さえ板４６を上方から見た図、図１０は第１絞り羽根４０を下方から見た図、図１１は第２絞り羽根４２を下方から見た図である。
図１２は第１、第２絞り羽根４０、４２による開放状態の説明図、図１３は第１、第２絞り羽根４０、４２による全閉状態の説明図である。
図１４は開放状態が形成された光量調整装置３８を下方から見た図、図１５は全閉状態が形成された光量調整装置３８を下方から見た図である。
図１６は図１４のＸＸ線断面図である。
光量調整装置３８は、ベース３９と、第１、第２絞り羽根４０、４２と、駆動機構４４と、押さえ板４６などを含んで構成されている。
【００２０】
（ベース３９）
光量調整装置３８のベース３９として、本実施の形態では、第３鏡筒分割体３６Ｃが用いられている。
第３鏡筒分割体３６Ｃは、図６、図７に示すように、細長の矩形状の底壁３９０２と、この底壁３９０２の４辺から起立する側壁３９０４とを有している。
底壁３９０２には、図８に示すように、第１、第２カムピン５８、６０の揺動を許容する切り欠き３９１０と、絞り用開口２を形成するための窓３９１２が形成されている。
また、底壁３９０２の下面には、３本のガイドピン４８Ａ、４８Ｂ、４８Ｃと、１本の位置決めピン４９が突設されている。
第１、第２絞り羽根４０、４２は、図７に示すように、この底壁３９０２の下面に配置され、その下方から押さえ板４６が底壁３９０２の下面に合わせられることにより第１、第２絞り羽根４０、４２が配設されている。
底壁３９０２の下面には、図８に示すように、第１絞り羽根４０に当接し第１絞り羽根４０の底壁３９０２の厚さ方向における位置決めを行う第１乃至第４突条５００２、５００４、５００６、５００８が設けられている。
また、底壁３９０２の下面には、第２絞り羽根４２に当接し第２絞り羽根４２の底壁３９０２の厚さ方向における位置決めを行う第５乃至第８突条５０１０、５０１２、５０１４、５０１６が設けられている。
また、図６、図７に示すように、４辺の側壁３９０４のうち、２つの長辺および１つの短辺に位置する３つの側壁３９０４には、押さえ板４６取り付け用の係合突起３９２０がそれぞれ突設されている。
なお、第１乃至第８突条５００２、５００４、５００６、５００８、５０１０、５０１２、５０１４、５０１６は、後述する第１、第２絞り羽根４０、４２の移動方向に延在している。
また、図８、図１４において符号５１は第１、第２絞り羽根４０、４２に当接して移動範囲を規制するストッパピンである。
【００２１】
また、押さえ板４６が第１絞り羽根４０に面する箇所には、図９に示すように、第１絞り羽根４０に当接し第１絞り羽根４０の底壁３９０２の厚さ方向における位置決めを行う第９、第１０突条５２０２、５２０４が設けられている。
また、押さえ板４６が第２絞り羽根４２に面する箇所には、第２絞り羽根４２に当接し第２絞り羽根４２の底壁３９０２の厚さ方向における位置決めを行う第１１乃至第１５突条５２０６、５２０８、５２１０、５２１２、５２１４が設けられている。
また、押さえ板４６には、第１、第２カムピン５８、６０の揺動を許容する切り欠き４６１０と、絞り用開口２を形成するための窓４６１２が形成されている。
また、押さえ板４６には、ガイドピン４８Ａ、４８Ｂ、４８Ｃ、位置決めピン４９が挿通される４つの位置決め孔４６２０が形成されている。
また、図６、図７に示すように、押さえ板４６がベース３９の２つの長辺と１つの短辺に対応する箇所には、それぞれ係止片４６２１が屈曲形成され、各係止片４６２１に設けられた係止孔４６２２がベース３９の３つの係合突起３９２０に係合することで押さえ板４６がベース３９に取着される。
なお、第９乃至第１５突条５２０２、５２０４、５２０６、５２０８、５２１０、５２１２、５２１４は、後述する第１、第２絞り羽根４０、４２の移動方向に延在している。
また、図９において符号４６３０はストッパピン５１（図８）が挿通されるストッパピン逃げ用の開口である。
【００２２】
（駆動機構４４）
駆動機構４４は、図６、図７に示すように、アクチュエータ５４と、アーム５６と、第１カムピン５８と、第２カムピン６０とを含んで構成されている。
アクチュエータ５４は、本実施の形態ではパルスモータであり、回転駆動される駆動軸５４０２を有している。
アーム５６は、駆動軸５４０２に該駆動軸５４０２と一体に回転可能に結合され、駆動軸５４０２が定められた角度範囲内で回転することで、すなわち、駆動軸５４０２が定められた角度範囲内で揺動することで、駆動軸５４０２と一体に揺動される。
アーム５６は、第１アーム５６０２と第２アーム５６０４の２つが設けられている。
第１カムピン５８は、第１アーム５６０２の先端に設けられ、第２カムピン６０は、第２アーム５６０４の先端に設けられ、第１カムピン５８と第２カムピン６０との位相差は９０度未満に設定され、駆動機構４４が占めるスペースの小型化が図られている。
【００２３】
（第１絞り羽根４０）
第１絞り羽根４０は、図１０に示すように、遮光性を有する薄い合成樹脂製の板で形成されている。
第１絞り羽根４０には、第１カム溝６２と、第１ガイド溝６４と、第１遮光板部６６と、第１開口形成用縁部６８と、第２ガイド溝７０とが設けられている。
第１カム溝６２は、第１カムピン５８が係合する箇所であり、第１カムピン５８が第１カム溝６２に係合し第１アーム５６０２と共に揺動することで第１絞り羽根４０が移動される。
第１ガイド溝６４は、直線状に延在しており、この第１ガイド溝６４に３つのガイドピン４８Ａ乃至４８Ｃのうちの１本のガイドピン４８Ａが係合される。
第１遮光板部６６は、光を遮光する箇所である。
第１開口形成用縁部６８は、第１遮光板部６６の端部に設けられ絞り用開口２の互いに対向する縁部の一方を縁取る箇所であり、Ｖ字状に延在している。
第２ガイド溝７０は、第１ガイド溝６４と同一の方向または平行する方向に直線状に延在し３つのガイドピン４８Ａ乃至４８Ｃのうちの１本のガイドピン４８Ｂが係合される。
図１４、図１５に示すように、第１、第２ガイド溝６４、７０にそれぞれガイドピン４８Ａ、４８Ｂが係合されることにより第１絞り羽根４０はベース３９により直線移動可能に案内される。
そして、図１０に示すように、第１カム溝６２、第１ガイド溝６４、第１遮光板部６６、第１開口形成用縁部６８、第２ガイド溝７０がこれら順番で前記移動方向に沿って重複することなく並べられて形成されている。
【００２４】
（第２絞り羽根４２）
第２絞り羽根４２は、図１１に示すように、遮光性を有する薄い合成樹脂製の板で形成されている。
第２絞り羽根４２には、第２カム溝７２と、第３ガイド溝７４と、第２開口形成用縁部７６と、第２遮光板部７８と、第４ガイド溝８０とが設けられている。
第２カム溝７２は、第２カムピン６０が係合する箇所であり、第２カムピン６０が第２カム溝７２に係合し第２アーム５６０４と共に揺動することで第２絞り羽根４２が移動される。
第３ガイド溝７４は、直線状に延在しており、この第３ガイド溝７４に３つのガイドピン４８Ａ乃至４８Ｃのうちの１本のガイドピン４８Ｃが係合される。
第２開口形成用縁部７６は、絞り用開口２の互いに対向する縁部の一方を縁取る箇所であり、Ｖ字状に延在し、第１開口形成用縁部６８に対向して配置される。
第２遮光板部７８は、第２開口形成用縁部７６に続いた箇所であり、光を遮光する箇所である。
第４ガイド溝８０は、第３ガイド溝７４と同一の方向または平行する方向に直線状に延在し３つのガイドピン４８Ａ乃至４８Ｃのうちの１本のガイドピン４８Ｂが係合される。
すなわち、図１４、図１５に示すように、第２ガイド溝７０は、第１ガイド溝６４よりも第１カム溝６２から離れた箇所に位置し、第４ガイド溝８０は、第３ガイド溝７４よりも第２カム溝７２から離れた箇所に位置し、第２ガイド溝７０と第４ガイド溝８０とは重なり、それら第２ガイド溝７０と第４ガイド溝８０とに単一のガイドピン４８Ｂが挿入されている。
第３、第４ガイド溝７４、８０にそれぞれガイドピン４８Ｃ、４８Ｂが係合されることにより第２絞り羽根４２はベース３９により直線移動可能に案内される。
そして、図１１に示すように、第２カム溝７２、第３ガイド溝７４、第２開口形成用縁部７６、第２遮光板部７８、第４ガイド溝８０がこれら順番で前記移動方向に沿って重複することなく並べられて形成されている。
【００２５】
（組み立て）
次に組み立てについて説明する。
図６、図７に示すように、アクチュエータ５４の駆動軸５４０２にアーム５６を取着する。
この状態で、第１、第２カムピン５８、６０をベース３９の底壁３９０２の上方からベース３９の切り欠き３９１０に挿通させ、アクチュエータ５４をねじＮによりベース３９に取着する。
次いで、ベース３９の上下を反転させた状態で、第１絞り羽根４０の第１カム溝６２、第１、第２ガイド溝６４、７０に第１カムピン５８、ガイドピン４８Ａ、４８Ｂをそれぞれ挿通させ、第１絞り羽根４０を底壁３９０２の下面に載置する。
次いで、第２絞り羽根４２の第２カム溝７２、第３、第４ガイド溝７４、８０に第２カムピン６０、ガイドピン４８Ｃ、４８Ｂをそれぞれ挿通させ、第２絞り羽根４２を第１絞り羽根４０に重ねて載置する。
次いで、押さえ板４６を第２絞り羽根４２に重ね合わせ、押さえ板４６の各位置決め孔４６２０をベース３９のガイドピン４８Ａ、４８Ｂ、４８Ｃ、位置決めピン４９に挿通させ、押さえ板３９の係止孔４６２２をベース３９の係止突起３９２０にそれぞれ係止させる。
これにより、第１、第２絞り羽根４０、４２はベース３９の底壁３８０２と押さえ板４６との間に挟持される。
【００２６】
この状態で、３つのガイドピン４８Ａ、４８Ｂ、４８Ｃのうち、ガイドピン４８Ａは第１絞り羽根４０の第１ガイド溝６４に挿通され、ガイドピン４８Ｃは第２絞り羽根４２の第３ガイド溝７０に挿通され、ガイドピン４８Ｂは、第１絞り羽根４０の第２ガイド溝７０と第２絞り羽根４２の第４ガイド溝８０との２つのガイド溝に共通に挿通されている。
【００２７】
また、図８、図９、図１６に示すように、第１絞り羽根４０は、底壁３９０２に設けられた第１乃至第４突条５００２、５００４、５００６、５００８と、押さえ板４６に設けられた第９、第１０突条５２０２、５２０４との間に挟まれ、これにより第１絞り羽根４０の底壁３９０２の厚さ方向における位置決めがなされている。
なお、第１カム溝６２に近い第１絞り羽根４０の箇所に係合する突条の数は、第１カム溝６２から離れた第1絞り羽根４０の箇所に係合する突条の数よりも多い。これは、後述するように、第１、第２絞り羽根４０、４２の移動に伴い縁部の間に発生する摩擦抵抗が顕著となる箇所において第１絞り羽根４０の移動の円滑化を図るためである。
また、第２絞り羽根４２は、押さえ板４６に設けられた第１１乃至第１５突条５２０６、５２０８、５２１０、５２１２、５２１４と、底壁３９０２に設けられた第５乃至第８突条５０１０、５０１２、５０１４、５０１６との間に挟まれ、これにより第２絞り羽根４２の底壁３９０２の厚さ方向における位置決めがなされている。
なお、第２カム溝７２に近い第２絞り羽根４２の箇所に係合する突条の数は、第２カム溝７２から離れた第２絞り羽根４２の箇所に係合する突条の数よりも多い。これは、後述するように、第１、第２絞り羽根４０、４２の移動に伴い縁部の間に発生する摩擦抵抗が顕著となる箇所において第２絞り羽根４２の移動の円滑化を図るためである。
【００２８】
（動作説明）
第１、第２絞り羽根４０、４２の動きを説明する。
図１４に示すように、第１カムピン５８が第１カム溝６２の一端に位置すると共に、第２カムピン６０が第２カム溝７２の一端に位置した状態で、図１２、図１４に示すように、絞り用開口２は開放状態となる。
この状態から駆動軸５４０２が正転すると、第１、第２カムピン５８、６０が揺動し、第１カムピン５８が第１カム溝６２の一端から他端に向かうと共に、第２カムピン６０が第２カム溝７２の一端から他端に向かう。
これら第１、第２カムピン５８、６０の揺動により、第１、第２絞り羽根４０、４２は互いに逆向きに直線移動し、絞り用開口２は開放状態よりも開口面積が次第に小さくなる。
やがて図１５に示すように、第１カムピン５８が第１カム溝６２の他端に位置すると共に、第２カムピン６０が第２カム溝７２の他端に位置する。
この状態で、図１３、図１５に示すように、絞り用開口２は開口面積が零となった全閉状態となる。
このように第１、第２絞り羽根４０、４２によって絞り用開口２が全閉状態となることで機械的なシャッターが構成されることになる。
なお、駆動軸５４０２が逆転すると、第１、第２カムピン５８、６０および第１、第２カム溝６２、７２を介して前記と逆の動作がなされる。
【００２９】
（効果）
以上説明したように本実施の形態によれば、第１絞り羽根４０は、第１カム溝６２、第１ガイド溝６４、第１遮光板部６６、第１開口形成用縁部６８、第２ガイド溝７０がこれら順番で移動方向に沿って重複することなく並べられて形成され、第２絞り羽根４２は、第２カム溝７２、第３ガイド溝７４、第２開口形成用縁部７６、第２遮光板部７８、第４ガイド溝８０がこれら順番で移動方向に沿って重複することなく並べられて形成されている。
したがって、第１、第２絞り羽根４０、４２が、それら絞り羽根４０、４２の移動方向と直交する方向に占有するスペースを縮小することができ、光量調整装置３８、レンズ鏡筒１４および撮像装置１０の小型化を図る上で有利となる。
【００３０】
また、第１、第２絞り羽根４０、４２のうち、第１、第２カム溝６２、７２に近接した箇所は、第１、第２カムピン５８、６０と干渉しない外形形状となることから、第１、第２絞り羽根４０、４２が厚さ方向で重なり合う部分の面積が小さなものとならざるを得ない。
一方、第１、第２絞り羽根４０、４２のうち、第１、第２カム溝６２、７２から離間した箇所は、第１、第２カムピン５８、６０との干渉を考慮した外形形状とする必要が無いことから、第１、第２絞り羽根４０、４２が厚さ方向で重なり合う部分の面積を大きくしてもよい。
そこで、本実施の形態では、第１、第２絞り羽根４０、４２のうち、第１、第２カム溝６２、７２に近接した箇所に配置した第１ガイド溝６４と第３ガイド溝７４に係合するガイドピンはそれぞれ独立した２本のガイドピン４８Ａ、４８Ｃとし、第１、第２絞り羽根４０、４２のうち、第１、第２カム溝６２、７２から離間した箇所に配置した第２ガイド溝７０と第４ガイド溝８０とに係合するガイドピンは、２つのガイド溝７０、８０に共通に係合するガイドピン４８Ｂとした。
すなわち、第２ガイド溝７０は、第１ガイド溝６４よりも第１カム溝６２から離れた箇所に位置し、第４ガイド溝８０は、第３ガイド溝７４よりも第２カム溝７２から離れた箇所に位置し、第２ガイド溝７０と第４ガイド溝８０とは重なり、それら第２ガイド溝７０と第４ガイド溝８０とに単一のガイドピン４８Ｂが挿入されている。
したがって、第１、第２絞り羽根４０、４２をガイドするガイドピンが３つで足りるので、第１、第２絞り羽根４０、４２が占有するスペースを縮小することができ、光量調整装置３８、レンズ鏡筒１４および撮像装置１０の小型化を図る上でより一層有利となる。
【００３１】
また、第１、第２絞り羽根４０、４２のうち、第１、第２カム溝６２、７２に近接した箇所は、第１、第２カムピン５８、６０と干渉しない外形形状となることから、縁部の形状が複雑となる。
そのため、第１、第２絞り羽根４０、４２のうち、第１、第２カム溝６２、７２に近接した箇所の縁部は、厚さ方向で重なると共に平面視した際に交差することになる。
このように対向する縁部が交差して重なり合うと、第１、第２絞り羽根４０、４２の移動に伴い縁部の間に発生する摩擦抵抗が顕著となることが懸念される。
そこで、本実施の形態では、第１カム溝６２に近い第１絞り羽根４０の箇所に係合する突条の数は、第１カム溝６２から離れた第１絞り羽根４０の箇所に係合する突条の数よりも多く設定し、かつ、第２カム溝７２に近い第２絞り羽根４２の箇所に係合する突条の数は、第２カム溝７２から離れた第２絞り羽根４２の箇所に係合する突条の数よりも多く設定した。
したがって、第１、第２絞り羽根４０、４２の厚さ方向の間隔を確保することにより、第１、第２絞り羽根４０、４２の移動に伴う縁部間での摩擦抵抗の発生を防止し、これにより第１、第２絞り羽根４０、４２の動作を安定して行う上で有利となり、また、アクチュエータ５４の消費電力の低減を図る上でも有利となる。
【００３２】
また、本実施の形態では、第１、第２絞り羽根４０、４２で絞り用開口２の全閉状態を形成することで機械的なシャッターを構成したが、第１、第２絞り羽根４０、４２で絞り用開口２の全閉状態を形成するか否かは任意である。しかしながら、本実施の形態のように絞り用開口２の全閉状態を形成することで機械的なシャッターを構成した場合には、この機械的なシャッター機能と撮像素子１６による電子シャッターの機能とを組み合わせることにより、さまざまなシャッター動作を実現することができ有利となる。
【００３３】
なお、本実施の形態では、撮像装置がデジタルスチルカメラである場合について説明したが、本発明は、カメラ付き携帯電話機、ビデオカメラ、監視カメラ装置などの撮像装置に広く適用可能である。
また、本実施の形態では、光量調整装置が撮像装置に適用される場合について説明したが、本発明はこれに限定されるものではなく、例えば、本発明に係る光量調整装置をプロジェクター装置における光源の光量調整装置として用いるなど任意である。
【図面の簡単な説明】
【００３４】
【図１】本実施の形態の撮像装置１０の斜視図である。
【図２】撮像装置１０を後方から見た斜視図である。
【図３】レンズ鏡筒１４の斜視図である。
【図４】図３のＸＸ線断面図である。
【図５】撮像装置１０の構成を示すブロック図である。
【図６】上方から見た光量調整装置３８の分解斜視図である。
【図７】下方から見た光量調整装置３８の分解斜視図である。
【図８】ベース３９を下方から見た図である。
【図９】押さえ板４６を上方から見た図である。
【図１０】第１絞り羽根４０を下方から見た図である。
【図１１】第２絞り羽根４２を下方から見た図である。
【図１２】第１、第２絞り羽根４０、４２による開放状態の説明図である。
【図１３】第１、第２絞り羽根４０、４２による全閉状態の説明図である。
【図１４】開放状態が形成された光量調整装置３８を下方から見た図である。
【図１５】全閉状態が形成された光量調整装置３８を下方から見た図である。
【図１６】図１４のＸＸ線断面図である。
【符号の説明】
【００３５】
２……絞り用開口、１０……撮像装置、１４……レンズ鏡筒、３８……光量調整装置、３９……ベース、３９１２……窓、４０……第１絞り羽根、４２……第２絞り羽根、４８Ａ、４８Ｂ、４８Ｃ……ガイドピン、５８……第１カムピン、６０……第２カムピン、６２……第１カム溝、６４……第１ガイド溝、６６……第１遮光板部、６８……第１開口形成用縁部、７０……第２ガイド溝、７２……第２カム溝と、７４……第３ガイド溝、７６……第２開口形成用縁部、７８……第２遮光板部、８０……第４ガイド溝。
【図１】
0004618520.tif 000002
【図２】
0004618520.tif 000003
【図３】
0004618520.tif 000004
【図４】
0004618520.tif 000005
【図５】
0004618520.tif 000006
【図６】
0004618520.tif 000007
【図７】
0004618520.tif 000008
【図８】
0004618520.tif 000009
【図９】
0004618520.tif 000010
【図１０】
0004618520.tif 000011
【図１１】
0004618520.tif 000012
【図１２】
0004618520.tif 000013
【図１３】
0004618520.tif 000014
【図１４】
0004618520.tif 000015
【図１５】
0004618520.tif 000016
【図１６】
0004618520.tif 000017